(57)【要約】【課題】放電式正負イオンではその寿命が課題であり、一般的にカビを抑制する効果の時間が短く、せっかく発生させたにもかかわらずカビ等の浮遊菌に結合できないまま消滅してしまうという課題があり、安定した微細水マイナスイオンを浴室内に供給することを目的とする。【解決手段】本体下部のルーバー１に吸込み口２と吹出し口３を設け、浴室内の空気を吸込むためのファン４とモーターを吸込み口２からの下流側に設け、排気アダプター９まで連通する排気風路７と、浴室内に循環させる循環風路８を設け、循環風路８には静電霧化装置１０、および熱源ヒータ１１を設けたことを特徴とする浴室換気乾燥機を提供する。【選択図】図１
2008151408.tif 000002
【特許請求の範囲】
【請求項１】
本体下部のルーバーに吸込み口と吹出し口を設け、浴室内の空気を吸込むためのファンとモーターを吸込み口からの下流側に設け、排気アダプターまで連通する排気風路と、浴室内に循環させる循環風路を設け、循環風路には静電霧化装置、および熱源ヒータを設けたことを特徴とする浴室換気乾燥機。
【請求項２】
静電霧化装置の放熱フィン部を排気風路に設け、静電霧化装置の発生部は吹出し口近傍に設けた請求項１記載の浴室換気乾燥機。
【請求項３】
静電霧化装置の発生部を熱源ヒータより吸込み側で分岐させ吹出し口まで連通させたバイパス循環風路に設けた請求項１記載の浴室換気乾燥機。
【請求項４】
静電霧化装置と静電霧化装置の駆動制御回路を一体化したユニットとして設けた請求項１〜３のいずれかに記載の浴室換気乾燥機。
【請求項５】
静電霧化装置の発生部が下方に向くように設けた請求項１〜４のいずれかに記載の浴室換気乾燥機。
【請求項６】
静電霧化装置の運転作動前に一定時間静電霧化装置を乾燥させるための運転モードで運転をおこなう請求項１〜５のいずれかに記載の浴室換気乾燥機。
【請求項７】
静電霧化装置の運転作動前に一定時間静電霧化装置を設けたバイパス循環風路に流す風量を多くする運転モードで運転をおこなう請求項１〜６のいずれかに記載の浴室換気乾燥機。
【請求項８】
吹出し口近傍に微細水マイナスイオンを検出する検出手段を備え、吹出し風量を制御する制御手段を備えた請求項１〜７のいずれかに記載の浴室換気乾燥機。
【発明の詳細な説明】
【技術分野】
【０００１】
本発明は、静電霧化装置を搭載し、浴室内にカビを生えにくくする浴室換気乾燥機に関する。
【背景技術】
【０００２】
近年、一般家庭における浴室の換気装置の設置が多くなるに伴い、浴室を利用して洗濯物を乾燥させる乾燥機能を有し、さらに冬場のヒートショックを緩和するために浴室内を暖房することができるため浴室換気乾燥機が普及してきている。また、建築基準法が改正され新築住宅にあっては常時換気の機能を有する換気装置の設置が義務付けられ、ますますこの種の浴室換気乾燥機の普及が拡大してきている。
【０００３】
この種の装置は、今までは換気・乾燥・暖房機能を主機能としたものが多く普及していたが、設置場所が浴室ということもあり、どうしても浴室は高湿条件が長く続く環境下でありカビが生えやすく、またカビとりの時に各種の洗剤等を使用する際、刺激臭などで気分を害することもしばしばあり、浴室のカビを生えにくくするための機能が強く浴室換気乾燥機に要望されており、ごく最近、放電式正負イオンを発生させる商品等が開発されている（例えば、特許文献１参照）。
【特許文献１】特開２００４−２１１９６１号公報
【発明の開示】
【発明が解決しようとする課題】
【０００４】
しかしながら、従来の浴室換気乾燥機は次のような課題がある。
【０００５】
放電式正負イオンではその寿命が課題であり、一般的にカビを抑制する効果の時間が短く、せっかく発生させたにもかかわらずカビ等の浮遊菌に結合できないまま消滅してしまうという課題がある。
【０００６】
また、放電式のため、環境条件によって、放電の仕方や放電量が変化し、正負イオンが安定して発生しにくいという課題がある。
【０００７】
本発明は、前述のような課題を解決することを目的としている。
【課題を解決するための手段】
【０００８】
本発明の浴室換気乾燥機は上記目的を達成するために、本体下部のルーバーに吸込み口と吹出し口を設け、浴室内の空気を吸込むためのファンとモーターを吸込み口からの下流側に設け、排気アダプターまで連通する排気風路と、浴室内に循環させる循環風路を設け、循環風路には静電霧化装置、および熱源ヒータを設けたものである。
【０００９】
この手段により、静電霧化装置から水分子を利用した微細水マイナスイオンを発生させ、浮遊しているカビと結合して浮遊カビを除去する作用は変わらずに、イオンの外側が水分子で包まれているために、作用の持続する時間も長く、そのためより多く浮遊カビと結合しやすくなる。
【００１０】
また、前述でも述べたようにイオンの外側が水分子で包まれているため、においの成分等にも結合し、においの成分を分解し、においをやわらげることができる。
【００１１】
また他の手段は、静電霧化装置の放熱フィン部を排気風路に設け、静電霧化装置の発生部は吹出し口近傍に設けたものである。
【００１２】
この手段により、微細水マイナスイオンを安定的に発生させることができ、また静電霧化装置を吹出し口近傍に設けることにより、より多くの微細水マイナスイオンを浴室内に放出することができる。
【００１３】
また他の手段は、静電霧化装置の発生部を熱源ヒータより吸込み側で分岐させ吹出し口まで連通させたバイパス循環風路に設けたものである。
【００１４】
この手段により、前述と同様、微細水マイナスイオンを安定的に発生させることができる。しかも、温風風路と別の循環風路のため、温風による微細水マイナスイオンへの影響も少ない。
【００１５】
また他の手段は、静電霧化装置と静電霧化装置の駆動制御回路を一体化したユニットを設けたものである。
【００１６】
この手段により、静電霧化装置を本体に組み込む際も容易に組み込むことができる。さらに、もし市場で交換が必要となった場合でもユニット単位にて交換ができるため、交換時間の短縮が可能となる。
【００１７】
また他の手段は、静電霧化装置の発生部が下方に向くように設けたものである。
【００１８】
この手段により、微細水マイナスイオンを非常に容易に発生させることが可能である。
【００１９】
なぜなら、発生部が下を向いていることにより水分子の自重と静電の吸引力が合い重なって水分子が微細しやすいためである。
【００２０】
また他の手段は、静電霧化装置の運転作動前に一定時間静電霧化装置を乾燥させるための運転モードで運転をおこなうものである。
【００２１】
この手段により、前述と同様、微細水マイナスイオンを安定的に発生させることができる。静電霧化装置が浴室の高湿条件化で結露した状態で運転させた場合は、その結露により放電作用が働かないためである。
【００２２】
また他の手段は、静電霧化装置の運転作動前に一定時間静電霧化装置を設けたバイパス循環風路に流す風量を多くする運転モードで運転をおこなうものである。
【００２３】
この手段により、前述と同様、静電霧化装置の微細水マイナスイオンを安定的に発生させることができる。静電霧化装置の放電部に付着している可能性のある異物を取り除き放電作用を適切におこなわせるためである。
【００２４】
また他の手段は、吹出し口近傍に微細水マイナスイオンを検出する検出手段を備え、吹出し風量を制御する制御手段を備えたものである。
【００２５】
この手段により、本体からの微細水マイナスイオンの量を一定に保つことが可能となる。
【００２６】
本発明の浴室換気乾燥機は上記の目的を達成するために、微細水マイナスイオンを安定させて発生させる静電霧化装置を設けたことを特徴としている。
【００２７】
この手段により、浮遊カビを減少させカビの発生がしにくく、においも減少した浴室空間を作り出すことが可能である。
【発明の効果】
【００２８】
本発明によれば、確実に浮遊カビを減少させカビの発生がしにくく、においも減少した浴室空間を作り出すことができる浴室換気乾燥機を提供できる。
【発明を実施するための最良の形態】
【００２９】
本発明の請求項１の浴室換気乾燥機は、本体下部のルーバーに吸込み口と吹出し口を設け、浴室内の空気を吸込むためのファンとモーターを吸込み口からの下流側に設け、排気アダプターまで連通する排気風路と、浴室内に循環させる循環風路を設け、循環風路には静電霧化装置、及び熱源ヒータを設けたこと特徴としている。ここでマイナスイオンの発生装置を静電霧化装置としたのは、そのイオンの外側を水分子が包んでおり、長い時間マイナスイオンとしての作用を継続することができる特徴がある。
【００３０】
この手段により、浴室内のカビ浮遊を除去し、カビの発生しにくい浴室空間を作り出すことができる。また、においについても、におい成分に結合し、においの成分を包んでいる水分子内に取り込み、においをやわらげることができる特徴がある。
【００３１】
また、請求項１の発明において静電霧化装置の放熱フィン部を排気風路に設け、静電霧化装置の発生部は吹出し口近傍に設けたことを特徴としている。
【００３２】
この手段により、微細水マイナスイオンを安定的に発生させることができ、浴室内により多くの微細水マイナスイオン供給することができ、浴室内のカビ浮遊を除去し、カビの発生しにくい浴室空間を作り出すことができる。
【００３３】
また、請求項１の発明において、静電霧化装置の発生部を熱源ヒータより吸込み側で分岐させ吹出し口まで連通させたバイパス循環風路に設けたことを特徴としている。
【００３４】
循環風路を２風路にし、従来の暖房風路と別に静電霧化装置独自の風路とする。
【００３５】
この手段により、前述と同様、微細水マイナスイオンを安定的に発生させることができ、前述と同浴室空間を作り出すことができる。
【００３６】
また、請求項１の発明において、静電霧化装置と静電霧化装置の駆動制御回路を一体化したユニットとして設けたことを特徴としている。
【００３７】
この手段により、本体に組み込む際も容易に組み込むことが可能であり、また市場での交換作業も容易におこなうことが可能となる。
【００３８】
また、静電霧化装置の発生部が下方に向くように設けたことを特徴としている。
【００３９】
この手段により、発生部が下を向けているため水分子の自重と静電の吸引力が合い重なって水分子が微細しやすいことが可能である。このため、前述同様に微細水マイナスイオンを安定的に発生させることができ、浴室内により多くの微細水マイナスイオン供給することができ、浴室内のカビ浮遊を除去し、カビの発生しにくい浴室空間を作り出すことができる。
【００４０】
また、静電霧化装置の運転作動前に一定時間静電霧化装置を乾燥させるための運転モードで運転をおこなうことを特徴としている。
【００４１】
この手段により、静電霧化装置を常に乾燥した状態から作動させることができるため、安定して微細水マイナスイオンを発生することができる。
【００４２】
また、静電霧化装置の運転作動前に一定時間静電霧化装置を設けたバイパス循環風路に流す風量を多くする運転モードで運転をおこなうことを特徴としている。
【００４３】
この手段により、静電霧化装置を常に塵埃が付着していない状態から作動させることができるため、安定して微細水マイナスイオンを発生することができる。
【００４４】
また、吹出し口近傍に微細水マイナスイオンを検出する検出手段を備え、吹出し風量を制御する制御手段を備えたことを特徴としている。
【００４５】
この手段により、常に一定量の微細水マイナスイオンを浴室内に供給することができる。
【００４６】
以下、本発明の実施の形態について図面を参照しながら説明する。
【００４７】
（実施の形態１）
図１は本発明の請求項１の実施の形態に関する構成図である。
【００４８】
図２と図３はそれぞれ暖房、換気のダンパー位置の構成図である。
【００４９】
本体下部のルーバー１に吸込み口２と吹出し口３を設け、浴室内の空気を吸込み口２よりファン４とファン４を駆動させるモーター（図示せず）を用いて矢印ａのように吸込み、ダンパー５により浴室から吸込んだ空気を排気しながら循環も同時におこなう場合、いわゆる乾燥、涼風をおこなう場合は、ダンパー５を図１のようにダンパーシャフト６を中心としてダンパーモーター（図示せず）を用いて回動させ、浴室から吸込んだ空気を排気風路７と循環風路８へ同時に浴室から吸込んだ空気を搬送し、一定量を排気アダプター９に取りつけたダクト（図示せず）を介して屋外に排出し残りを静電霧化装置１０から微細水マイナスイオン（いわゆるナノサイズのマイナスイオンミスト）を放出し、微細水マイナスイオンを浮遊しているカビ菌と結合させ、カビ菌を微細水にて包み込み、熱源ヒータ１１（ここでいう熱源ヒータとは、電気により発熱するセラミックヒータ、輻射ハロゲンヒータ、カーボンランプヒータいずれでも同様な効果が得られる。図１は一例としてセラミックヒータを記載）により加熱（乾燥をおこなう場合。涼風をおこなう場合は熱源ヒータ１１は停止）し温風として、吹出し口３より浴室内に再び吹出させる。このとき吹き出した風はカビ菌を微細水にて包んでいるものが含まれており、これらのものが、すばやく床面等に付着するため、浮遊しているカビ菌を減少させることが可能である。よってカビを生えにくくすることができる。また微細水マイナスイオンは浴室内の空気に含まれる、においの成分とも結合し、においの成分を包み込み、においをやわらげることも可能である。
【００５０】
また、浴室から吸込んだ空気を排気する場合、いわゆる換気をおこなう場合はダンパー５を図２のようにダンパーシャフト６を中心にしてダンパーモーター（図示せず）を用いて回動させ、浴室から吸込んだ空気を矢印ｂのように排気風路７へ搬送し排気アダプター９に取りつけたダクト（図示せず）を介して屋外に排出する。また浴室から吸込んだ空気を浴室内に循環させる場合、いわゆる浴室の暖房をおこなう場合は、ダンパー５を図３のようにダンパーシャフト６を中心にしてダンパーモーター（図示せず）を用いて回動させ、浴室から吸込んだ空気を矢印ｃのように循環風路８へ搬送し、熱源ヒータ１１により加熱し温風として、吹出し口３より浴室内に再び吹出させ、浴室内の寒さを緩和することができる。
【００５１】
（実施の形態２）
図４は静電霧化装置の一例の構成図である。
【００５２】
図５は本発明の請求項２の実施の形態に関する構成図である。
【００５３】
静電霧化装置１０の機構を簡単に説明すると放電極１２と対向電極１３を備え、放電極１２と対向電極１３の間に高電圧を印加し、放電極１２についている水分子を霧化させ、微細水マイナスイオンを放出させる。この際、放電極１２に水分子が必要であり、水分子を供給する手段としてペルチェ素子１４を内蔵しており、このペルチェ素子１４に電圧を印加させることによりペルチェ素子１４により放電極１２を冷却し、放電極１２に結露水を発生させ、この結露水を霧化させる。この際、ペルチェ素子１４から発生する熱を放熱フィン部１５により放熱させている。
【００５４】
この時、静電霧化装置１０の放熱フィン部１５を排気風路７に設け、排気風によって、放熱フィン部１５を冷却し、静電霧化装置１０の発生部１６（放電極１２と対向電極１３をいう。）は吹出し口３近傍に設け、浴室内に安定して微細水マイナスイオンを放出することができる。
【００５５】
（実施の形態３）
図６は本発明の請求項３の実施の形態に関する構成図である。
【００５６】
静電霧化装置１０で放出した微細水マイナスイオンを浴室内に循環風によって放出するために、静電霧化装置１０の発生部１６に風を流す必要がり、本発明では、熱源ヒータ１１の上流側の循環風路８から、熱源ヒータ１１へ連通する風路とは別のバイパス風路１７を設け、このバイパス風路１７内に静電霧化装置１０を設けている。このため静電霧化装置１０を通る風は熱源ヒータ１１により暖められた風ではなく、浴室からの吸い込み温度に近い風温度のため、放電極１２が高温とならずに安定した霧化現象となり、安定して微細水マイナスイオンを放出することができる。
【００５７】
（実施の形態４）
図７は本発明の請求項４の実施の形態に関する構成図である。
【００５８】
静電霧化装置１０と静電霧化装置１０を制御するためのコントロール基板１８、静電霧化装置１０とコントロール基板１８を結ぶ、リード線１９を静電霧化装置ユニット２０として静電霧化装置フレーム２１の難燃樹脂部品上に一体化構造にすることにより、静電霧化装置１０を本体に組み込む際に容易に組み込むことが可能である。
【００５９】
また、市場での交換作業時にも、この一体化した静電霧化装置ユニット２０を交換するだけで済むので、非常に短時間で交換がおこなえる。
【００６０】
（実施の形態５）
図８は本発明の請求項５の実施の形態に関する構成図である。
【００６１】
放電極１２が下を向けているため放電極１２で結露した水分子が放電極１２の先端まで伝わりやすく、さらに水分子の自重と放電極１２と対向電極１３静電の放電によって発生する吸引力が合い重なって水分子がより霧化しやすくなり、安定して微細水マイナスイオンを浴室内に供給することができる。また、もし結露水が余剰に発生して放電極１２に溜まった場合においても、放電極１２を下に向けていることにより、水分子自体の自重により容易に放電極１２から切り離され、適正な量の水分子となるため、安定した霧化現象を継続的におこなえる。
【００６２】
（実施の形態６）
図９は本発明の請求項７の実施の形態に関するフロー図である。
【００６３】
静電霧化装置１０を運転させる指令が本体のメイン基板（図示せず）から発信され、その信号を受け、その後一定時間、静電霧化装置１０を乾燥させるための運転モード（一例としては乾燥運転や涼風運転）で運転をおこなう。その後静電霧化装置１０が安定して霧化現象が続くならば乾燥させる運転モードを終了し、静電霧化装置１０の運転を継続させる。もし、静電霧化装置１０が安定した運転を続けることができない場合は一旦、静電霧化装置１０を停止させ、静電霧化装置１０を乾燥させるための運転モードを継続させ、その後、再び静電霧化装置１０が安定した霧化現象が続くかを判定するフローとする。
【００６４】
静電霧化装置が安定したかの一つの判断としては放電電流を検出し、その放電電流が規定値範囲内に制御されているかを判定する方法である。
【００６５】
ここで、時間的タイムチャートの一例を説明すると、静電霧化装置１０を乾燥させるための運転モードは３０分運転として、その後静電霧化装置１０が安定した霧化現象が続くかを３分間判定し、霧化現象が安定すれば静電霧化装置１０の運転を継続する。逆に霧化現象が安定しない場合は再び、静電霧化装置１０を乾燥させるための運転モードを１５分運転し、再び静電霧化装置１０が安定した霧化現象が続くかを３分間判定するようにし、以後このフローを静電霧化装置１０が安定したと判定するまで繰り返す。
【００６６】
（実施の形態７）
図１０は本発明の請求項８の実施の形態に関するフロー図である。
【００６７】
前述した、静電霧化装置１０を乾燥させるための運転モード時の風量をアップさせ、静電霧化装置１０の発生部１６に付着している塵埃を吹き飛ばし、静電霧化装置１０を運転させた場合に安定した霧化現象が続くようにするフローである。
【００６８】
この時、風量のアップ度合いは静電霧化装置の運転頻度に比例したものとする。
【００６９】
静電霧化装置１０が運転している頻度が多い場合（１ヶ月に１回程度使用の場合。つまり静電霧化装置が停止している間隔が比較的短い場合）は風量のアップは１割（回転数を１割アップ）とし、それ以上停止している間隔が長くなるにつれ、最高１年間以上停止していた場合に２倍の風量で運転するフローまで比例的にする。
【００７０】
（実施の形態８）
図１１は本発明の請求項９の実施の形態に関する構成図である。
【００７１】
静電霧化装置１０が運転している際に吹出し口３に微細水マイナスイオン量を検出するための検出手段２４を備え、微細水マイナスイオン量を検出するための検出手段２４にて得た検出値と事前にマイコン記憶手段（図示せず）に記憶させてある微細水マイナスイオン量（設定値）を比較して、吹出し風量を制御する制御手段２５を備え、微細水マイナスイオン量が少ない場合は、吹出し風量を制御する制御手段２５からファン４を駆動させているモーターの回転数を増やす指令を送り、その結果風量を増やし微細水マイナスイオン量が記憶させてある微細水マイナスイオン量（設定値）となるようにし、常に同じ微細水マイナスイオン量が放出できるようにする。
【産業上の利用可能性】
【００７２】
本発明の浴室換気乾燥機は、安定した微細水マイナスイオン量を発生させ、浮遊カビを減少させカビの発生がしにくく、においも抑制した浴室空間を作ることができる。
【図面の簡単な説明】
【００７３】
【図１】本発明の実施の形態１の浴室換気乾燥機に関する構成図
【図２】同浴室換気乾燥機の暖房のダンパー位置の構成図
【図３】同浴室換気乾燥機の換気のダンパー位置の構成図
【図４】本発明の実施の形態２の浴室換気乾燥機に関する構成図
【図５】同浴室換気乾燥機の静電霧化装置の一例の構成図
【図６】本発明の実施の形態３の浴室換気乾燥機に関する構成図
【図７】本発明の実施の形態４の浴室換気乾燥機に関する構成図
【図８】本発明の実施の形態５の浴室換気乾燥機に関する構成図
【図９】本発明の実施の形態６の浴室換気乾燥機に関するフロー図
【図１０】本発明の実施の形態７の浴室換気乾燥機に関するフロー図
【図１１】本発明の実施の形態８の浴室換気乾燥機に関する構成図
【符号の説明】
【００７４】
１    ルーバー
２    吸込み口
３    吹出し口
４    ファン
５    ダンパー
６    ダンパーシャフト
７    排気風路
８    循環風路
９    排気アダプター
１０  静電霧化装置
１１  熱源ヒータ
１２  放電極
１３  対向電極
１４  ペルチェ素子
１５  放熱フィン部
１６  発生部
１７  バイパス風路
１８  コントロール基板
１９  リード線
２０  静電霧化装置ユニット
２１  静電霧化装置フレーム
２４  微細水マイナスイオン量を検出するための検出手段
２５  吹出し風量を制御する制御手段
【図１】
2008151408.tif 000003
【図２】
2008151408.tif 000004
【図３】
2008151408.tif 000005
【図４】
2008151408.tif 000006
【図５】
2008151408.tif 000007
【図６】
2008151408.tif 000008
【図７】
2008151408.tif 000009
【図８】
2008151408.tif 000010
【図９】
2008151408.tif 000011
【図１０】
2008151408.tif 000012
【図１１】
2008151408.tif 000013